(57)【特許請求の範囲】
【請求項１】
家電機器の下面に備えられて前記家電機器を支持するレッグの下端に結合される結合部と、
前記結合部の下面から下方に多数個が延長され、室内空間のカーペットを貫通して挿入される多数のスパイクと、を含み、
前記結合部は、
前記レッグの下面と接して支持する支持面と、
前記支持面の周りに沿って延長され前記レッグの側面と接するリーブとから構成され、
前記リーブは、多数個が一定間隔離隔して連続配置され、
前記レッグは、前記リーブの内側面と接するように前記結合部に圧入される、スパイク固定部材。
【請求項２】
前記レッグの外側面には、多数の面が連続形成され、
前記リーブのそれぞれは、前記レッグの外側面のうち少なくとも２つの面と接するように形成される、請求項１に記載のスパイク固定部材。
【請求項３】
前記リーブは、
前記スパイク固定部材の結合時に露出し、ラウンド状に形成される第１リーブと、
前記第１リーブと対向する位置に形成され、前記スパイク固定部材の装着時に前記レッグの複数の面と接するように折曲がって形成される第２リーブと、
相互離隔した第１リーブと第２リーブとの間の両側端に形成され、前記レッグの複数の面と接するように折曲がって形成される一対の第３リーブと、を含む、請求項２に記載のスパイク固定部材。
【請求項４】
前記スパイク固定部材は、樹脂材にて射出形成され、
前記スパイクと対応する前記支持面の一部は凹む、請求項１に記載のスパイク固定部材。
【請求項５】
衣類収納空間を形成し、ドアによって開閉されるキャビネットと、
前記キャビネットに備えられ、冷凍サイクルを構成する構成の少なくとも一部が収容される機械室と、
前記キャビネットの下面に備えられ、室内空間の底面に前記キャビネットを支持するレッグと、
前記キャビネットと前記底面との間に配置され、前記レッグに脱着可能に装着されて前記機械室から発生した凝縮水が溜まるウォータートレイと、
前記レッグに脱着可能に提供され、前記底面に配置されたカーペットを貫通して挿入されるスパイクが多数個形成されるスパイク固定部材と、を含み、
前記ウォータートレイの両側には、前記レッグが収容される空間を形成するように凹んだレッグ収容部が形成される、衣類処理装置。
【請求項６】
前記レッグ収容部には、前記レッグの上面と接するように前記レッグ収容部の内側に延長され、前記ウォータートレイが前記レッグに安着できるようにする安着部が形成される、請求項５に記載の衣類処理装置。
【請求項７】
前記レッグ収容部の一側には、前記レッグ収容部の開口に向かって延長され、前記レッグの側面を弾性的に加圧して前記ウォータートレイが前記レッグに装着した状態を維持できるようにする弾性固定部が備えられる、請求項５に記載の衣類処理装置。
【請求項８】
前記弾性固定部は、前記レッグ収容部の一端から延長され、前記ウォータートレイの枠と離隔する板状に弾性変形可能に形成される、請求項７に記載の衣類処理装置。
【請求項９】
前記弾性固定部は、
前記レッグ収容部から延長され、前記レッグ収容部の開口が前記レッグの幅より狭くなるように延長される固定部と、
延長部の端部から前記延長部の延長方向と交差する方向に延長され、前記ウォータートレイの装着時に前記レッグと接してレッグの移動を案内する案内部と、を含む、請求項８に記載の衣類処理装置。
【請求項１０】
前記案内部には、前記枠に向かって突出する突出ストッパーが形成される、請求項９に記載の衣類処理装置。
【請求項１１】
前記スパイク固定部材は、前記レッグを支持する支持面と、前記支持面の周りから延長され、前記レッグの側面と接して前記レッグが圧入される空間を形成する多数のリーブから構成される結合部とをさらに含む、請求項７に記載の衣類処理装置。
【請求項１２】
前記リーブは、
前記レッグ収容部の内側面に密着する第１リーブと、
前記第１リーブと対向する位置から延長され、前記レッグの周りを包む第２リーブと、
前記第１リーブと前記第２リーブとの離隔した間に配置され、前記レッグの側面を支持する第３リーブと、を含む、請求項１１に記載の衣類処理装置。
【請求項１３】
前記第１リーブは、前記レッグ収容部の開口された側面に露出し、ラウンド状に形成される、請求項１２に記載の衣類処理装置。
【請求項１４】
前記弾性固定部は、前記第１リーブと前記第３リーブとの間で係止される、請求項１２に記載の衣類処理装置。
【請求項１５】
前記第２リーブ及び前記第３リーブは、多角形形状に形成される前記レッグの周面の少なくとも２つ以上の面と密着するように形成される、請求項１２に記載の衣類処理装置。
【請求項１６】
前記第３リーブは、前記ウォータートレイの弾性固定部によって干渉されないように、前記第１リーブ及び前記第２リーブより低い高さで突出する、請求項１２に記載の衣類処理装置。
【請求項１７】
前記スパイクの位置と対応する前記支持面の一側は凹んで形成される、請求項１１に記載の衣類処理装置。
【発明の詳細な説明】
【技術分野】
【０００１】
本発明は、スパイク固定部材及びスパイク固定部材が備えられた衣類処理装置に関するものである。
【背景技術】
【０００２】
最近では、衣類の洗濯機以外に多様な種類の衣類処理装置が開発され使用されている。
【０００３】
代表的に、洗濯された衣類を乾燥したり、衣類のシワを熱風や水分を加えて伸ばしたり、衣類に残留する臭いなどを除去できるようにするなどの機能を有した衣類処理装置がある。このような衣類処理装置は、衣類管理機、リフレッシャーまたはスタイラーなど多様に命名されている。
【０００４】
大韓民国公開特許第１０-２０１５-００８５７２８号には、圧縮機と凝縮器、蒸発器及び膨張装置を含むヒートポンプの駆動によって、前記凝縮器を通過して加熱された乾燥空気が衣類収納空間に供給されて衣類を乾燥させることができ、衣類収納空間の湿った空気は、前記蒸発器を通過しながら除湿及び冷却された後、前記凝縮器を通過して循環する構造の衣類処理装置が開示されている。そして、前記蒸発器を通過することで発生する凝縮水は、水受け筒に集まることになる構造を有している。
【０００５】
また、大韓民国公開特許第１０-２００９-０１０２４００号には、衣類が収容される空間にスチームを噴射できるスチーム発生装置と、スチーム噴射ユニットが備えられ、収納された衣類のシワ除去と脱臭を向上させることができる衣類処理装置が開示されている。
【０００６】
一方、このような構造を有する衣類処理装置は、室内空間に配置されることが多い。そして、前記衣類処理装置の正常動作のために、室内空間に設置される時にレベル調節が必須であり、このために前記スチーム発生装置のキャビネットの下面には、高さ調節が可能なレッグが備えられる。
【０００７】
このようなレッグの代表的な構造は、大韓民国公開特許第１０-２０１５-００４２９４８号に開示されている。そして、このようなレッグの構造は、高さ調節が可能で、防塵のための部材が備えられて振動が低減するようにすることができる。
【０００８】
しかし、衣類処理装置が室内空間のうちカーペットが配置された空間に提供される場合、安定した固定が困難であり、安定した固定ができないと衣類処理装置の動作時に振動が発生する問題がある。
【発明の概要】
【発明が解決しようとする課題】
【０００９】
本発明の実施例は、キャビネットを支持するためのレッグに装着され、カーペットの上に安定的にキャビネットが固定設置されるようにするスパイク固定部材及びスパイク固定部材が備えられた衣類処理装置を提供することを目的とする。
【００１０】
また、本発明の実施例は、キャビネットを支持するためのレッグに容易に脱着可能なスパイク固定部材及びスパイク固定部材が備えられた衣類処理装置を提供することを目的とする。
【００１１】
また、本発明の実施例は、カーペットの上に安定的にキャビネットが固定設置されるようにし、かつ凝縮水を受けるためのウォータートレイの脱着を容易にするスパイク固定部材が備えられた衣類処理装置を提供することを目的とする。
【００１２】
また、本発明の実施例は、衣類収容空間の損失を防止すると共に、凝縮水を効果的に溜められるようにするスパイク固定部材が備えられた衣類処理装置を提供することを目的とする。
【課題を解決するための手段】
【００１３】
本発明の実施例に係るスパイク固定部材は、家電機器の下面に備えられて前記家電機器を支持するレッグの下端に結合される結合部と、前記結合部の下面から下方に多数個が延長され、室内空間のカーペットを貫通して挿入される多数のスパイクと、を含む。
【００１４】
前記結合部は、前記レッグの下面と接して支持する支持面と、前記支持面の周りに沿って延長され前記レッグの側面と接するリーブとから構成される。
【００１５】
前記リーブは、多数個が一定間隔離隔して連続配置され、前記レッグは、前記リーブの内側面と接するように前記結合部に圧入される。
【００１６】
前記レッグの外側面には、多数の面が連続形成され、前記それぞれのリーブは、前記レッグの外側面のうち少なくとも２つの面と接するように形成される。
【００１７】
前記リーブは、前記スパイク固定部材の結合時露出し、ラウンド状に形成される第１リーブと、前記第１リーブと対向する位置に形成され、前記スパイク固定部材の装着時に前記レッグの複数の面と接するように折曲がって形成される第２リーブと、相互離隔した第１リーブと第２リーブとの間の両側端に形成され、前記レッグの複数の面と接するように折曲がって形成される一対の第３リーブと、を含むことができる。
【００１８】
前記スパイク固定部材は、樹脂材にて射出形成され、前記スパイクと対応する前記支持面の一部は凹む。
【００１９】
本発明の実施例に係る衣類処理装置は、衣類収納空間を形成し、ドアによって開閉されるキャビネットと、前記キャビネットに備えられ、冷凍サイクルを構成する構成の少なくとも一部が収容される機械室と、前記キャビネットの下面に備えられ、室内空間の底面に前記キャビネットを支持するレッグと、前記キャビネットと前記底面との間に配置され、前記レッグに脱着可能に装着されて前記機械室から発生した凝縮水が溜まるウォータートレイと、前記レッグに脱着可能に提供され、前記底面に配置されたカーペットを貫通して挿入されるスパイクが多数個形成されるスパイク固定部材と、を含む。
【００２０】
前記ウォータートレイの両側には、前記レッグが収容される空間を形成するように凹んだレッグ収容部が形成される。
【００２１】
前記レッグ収容部には、前記レッグの上面と接するように前記レッグ収容部の内側に延長され、前記ウォータートレイが前記レッグに安着するようにする安着部が形成される。
【００２２】
前記レッグ収容部の一側には、前記レッグ収容部の開口に向かって延長され、前記レッグの側面を弾性加圧して前記ウォータートレイが前記レッグに装着された状態を維持できるようにする弾性固定部が備えられる。
【００２３】
前記弾性固定部は、前記レッグ収容部の一端から延長され、前記ウォータートレイの枠と離隔する板状に形成されて弾性変形可能に形成される。
【００２４】
前記弾性固定部は、前記レッグ収容部から延長され、前記レッグ収容部の開口が前記レッグの幅より狭くなるように延長される固定部と、前記延長部の端部から前記延長部の延長方向と交差する方向に延長され、前記ウォータートレイの装着時、前記レッグと接してレッグの移動を案内する案内部と、を含むことができる。
【００２５】
前記案内部には、前記枠に向かって突出する突出ストッパーが形成される。
【００２６】
前記スパイク固定部材は、前記レッグを支持する支持面と、前記支持面の周りから延長され前記レッグの側面と接して前記レッグが圧入される空間を形成する多数のリーブから構成される結合部とをさらに含むことができる。
【００２７】
前記リーブは、前記レッグ収容部の内側面に密着する第１リーブと、前記第１リーブと対向する位置から延長され、前記レッグの周りを囲む第２リーブと、前記第１リーブと第２リーブとの離隔した間に配置され、前記レッグの側面を支持する第３リーブと、を含むことができる。
【００２８】
前記第１リーブは、前記レッグ収容部の開口された側面に露出し、ラウンド状に形成される。
【００２９】
前記弾性固定部は、前記第１リーブと第３リーブとの間で係止される。
【００３０】
前記第２リーブ及び第３リーブは、多角形形状に形成される前記レッグの周面のうち少なくとも２つ以上の面と密着するように形成される。
【００３１】
前記第３リーブは、前記ウォータートレイの弾性固定部によって干渉されないように、第１リーブ及び第２リーブより低い高さで突出する。
【００３２】
前記スパイクの位置と対応する前記支持面の一側は凹んで形成される。
【発明の効果】
【００３３】
本発明の実施例に係るスパイク固定部材及びスパイク固定部材が備えられた衣類処理装置は、次のような効果がある。
【００３４】
第一に、前記スパイク固定部材は、多数のリーブによって家電機器のレッグに圧入される構造を有するので、底にカーペットが敷かれた室内に設置され、レッグを有する多様な家電機器に装着されて、家電機器が安定的に設置固定されるようにする利点がある。
【００３５】
第二に、前記キャビネットと底面との間の空間にウォータートレイが備えられ、前記レッグに安着できる構造を有するので、ウォータートレイを装着するための別途の空間を設けなくても良いので、空間の活用性が向上する利点がある。
【００３６】
第三に、前記ウォータートレイには、ウォータートレイ装着部が両側に形成され、前記レッグに脱着可能な構造を有するので、使用の便宜性が向上する利点がある。
【００３７】
第四に、前記ウォータートレイの装着時、前記レッグにスパイク固定部材が装着された状態においても、前記リーブの形状が前記ウォータートレイと干渉しないようにし、前記スパイク固定部材が装着された状態においても、前記ウォータートレイの脱着が可能な利点がある。
【図面の簡単な説明】
【００３８】
【図１】本発明の実施例による衣類処理装置の斜視図である。
【図２】前記衣類処理装置のドアが開放された正面図である。
【図３】前記衣類処理装置の底面図である。
【図４】前記衣類処理装置のスパイク固定部材とウォータートレイの結合構造を示した分解斜視図である。
【図５】図２の５-５’線断面図である。
【図６】前記スパイク固定部材の斜視図である。
【図７】図６の７-７’線断面図である。
【図８】前記ウォータートレイの斜視図である。
【図９】前記ウォータートレイがレッグに装着された様子を示した部分斜視図である。
【図１０】前記衣類処理装置の下端の前半部角の部分斜視図である。
【図１１】前記衣類処理装置の下端の後半部角の部分斜視図である。
【図１２】前記ウォータートレイの脱着過程を示した図面である。
【図１３】前記スパイク固定部材と前記ウォータートレイが装着された様子を示した部分斜視図である。
【発明を実施するための形態】
【００３９】
以下、本発明の具体的な実施例を図面を参照して詳しく説明する。なお、本発明は、本発明の思想が提示される実施例に制限されるものではなく、また他の構成要素の追加、変更、削除などによって、退歩的な他の発明や本発明の思想範囲内に含まれる他の実施例を容易に提案することができる。
【００４０】
すなわち、本発明の実施例は、説明と理解の便宜のために、多様な家電機器のうち衣類処理装置を例として説明しているが、本発明は、レッグ構造を有する洗濯機と冷蔵庫などの家電機器にも適用可能であることは勿論である。
【００４１】
図１は、本発明の実施例による衣類処理装置の斜視図であり、図２は、前記衣類処理装置のドアが開放された正面図である。
【００４２】
図示されているように、本発明の実施例による衣類処理装置１は、内部に衣類収納空間１１を形成するキャビネット１０と、前記キャビネット１０を開閉するドア３０によって外観が形成される。
【００４３】
前記キャビネット１０は、前面が開口されるように形成され、前記衣類収納空間１１の内部には、衣類を収納するための多様な構成が配置される。前記衣類収納空間１１の下部には、機械室２０が形成される。詳しく図示されないが、前記機械室２０の内部には、冷凍サイクルを構成する圧縮機と凝縮器、蒸発器及び膨張装置が備えられ、空気を流動させるための送風ファンなどが備えられる。そして、必要に応じてスチーム発生装置をさらに備えることができる。
【００４４】
前記機械室２０の前面には、機械室ドア２１が備えられて前記機械室２０の内部を開閉することができる。そして、前記機械室２０の上面には、空気吸入部２２と空気排出部２３が形成され、前記衣類収納空間１１の内部に乾燥加熱空気を持続的に供給できるように構成される。そして、衣類収納空間１１の内部には、衣類を収納するためのトレイとラックなど多様な構成が配置される。
【００４５】
前記ドア３０は、前記キャビネット１０に回動可能に装着され、回動によって前記キャビネット１０を開閉する。そして、前記ドア３０の前面には、前記衣類処理装置１の動作を表示するディスプレイ３１が備えられる。前記ディスプレイ３１は、タッチ方式に構成され、前記衣類処理装置１の動作表示はもちろん、前記衣類処理装置１の動作を操作することもできる。もちろん、前記衣類処理装置１を動作させるための操作部が別途の構成として前記ドア３０に提供されてもよい。
【００４６】
また、前記ドア３０の背面には、衣類収納空間１１に供給される熱風とスチームを利用して衣類のシワを除去したり、設定されたシワを固定できるように開閉されるフレッシャー３２が備えられる。
【００４７】
図３は、前記衣類処理装置の底面図であり、図４は、前記衣類処理装置のスパイク固定部材とウォータートレイの結合構造を示した分解斜視図である。
【００４８】
図示されているように、前記キャビネット１０の下面にはベースプレート１２が形成される。前記ベースプレート１２は、前記衣類処理装置１の底面を形成し、４つの角にはレッグ４０が備えられて、前記ベースプレート１２が室内の底面と離隔配置されるようにする。
【００４９】
そして、前記ベースプレート１２の後端両側にはローラ５０が備えられる。前記ローラ５０は、前記衣類処理装置の移動時に使用され、前記ベースプレート１２から所定の高さで突出するように形成される。ここで、前記ローラ５０は、前記衣類処理装置１が設置された状態では前記レッグ４０より上側に位置し、前記衣類処理装置１の移動時には、前記レッグ４０の高さを調節したり、前記衣類処理装置１を傾けて前記ローラ５０が紙面と接して回転運動することになる。
【００５０】
前記レッグ４０は、前記ベースプレート１２の前半部と後半部に左右両側に一対ずつ備えられ、前記レッグ４０にはスパイク固定部材６０が装着される。前記スパイク固定部材６０は、前記衣類処理装置１を固定設置するためのものとして、設置空間の底に敷かれたマットまたはカーペット２等を貫通して固定されるように構成される。このために前記スパイク固定部材６０は、前記レッグ４０と装着される結合部６１、そして前記カーペット２を貫通して挿入されるスパイク６４を含んで構成される。
【００５１】
前記スパイク固定部材６０は、前記レッグ４０から脱着可能な構造を有する。よって、前記衣類処理装置１の設置環境に応じて、硬い床やタイルの上では前記スパイク固定部材６０を分離し、前記レッグ４０を利用して設置し、カーペット２またはマットの上では前記スパイク固定部材６０を前記レッグ４０に装着した状態で設置することができる。
【００５２】
前記ベースプレート１２の下方には、前記機械室２０から発生した凝縮水を溜めるためのウォータートレイ７０が備えられる。前記ウォータートレイ７０は、前記ベースプレート１２と室内空間の底面との間の空間に位置され、前記レッグ４０に固定される。前記ウォータートレイ７０は、前方に引き出されることで前記レッグ４０から分離することができ、分離されたウォータートレイ７０に溜まった水を空けた後再装着することができる。
【００５３】
前記ウォータートレイ７０は、全体的に前記機械室２０の内部と連通して凝縮水が溜まるようにする空間を形成し、前記ウォータートレイ７０が前記レッグ４０に固定装着されるようにするレッグ収容部７５を含んで構成される。
【００５４】
以下、前記レッグ４０とスパイク固定部材６０及びウォータートレイ７０の構造に関して、より詳しく説明する。
【００５５】
図５は、図２の５-５’線断面図である。
【００５６】
図示されているように、前記ベースプレート１２にはレッグ４０が備えられる。前記レッグ４０は、ベースプレート１２または機械室２０内部のフレーム（図示されない）に固定される固定ナット４２と前記固定ナット４２を貫通して前記固定ナット４２と螺合される調節ネジ４１、そして前記調節ネジ４１の下端に備えられるネジヘッド４３を含む。
【００５７】
従って、前記レッグ４０が装着された状態で、使用者が前記ネジヘッド４３を回転させると、前記調節ネジ４１は前記固定ナット４２との螺合によって上下方向に昇降できるようになる。前記ネジヘッド４３は、回転操作が容易であるように、上部がナットと同一形状に形成されたナット部４３１が形成される。
【００５８】
このような前記調節ネジ４１の回転によって、前記レッグ４０の突出の長さを調節することができ、前記ベースプレート１２が室内の底面と離隔する距離を調節できる。すなわち、前記レッグ４０の操作を介して前記衣類処理装置１の高さ調節が可能であり、前記ベースプレート１２の４つの角に備えられた前記レッグ４０をそれぞれ調節して、前記衣類処理装置１のレベルを調節することができる。
【００５９】
一方、前記ネジヘッド４３の下部は、前記ナット部４３１よりも外側に延長されるベース部４３２が形成される。前記ベース部４３２とナット部４３１は、別途の部材で形成されて結合されてもよく、前記調節ネジ４１と一体成形されてもよい。
【００６０】
そしてベース部４３２には、前記衣類処理装置１の設置時に底面と接するベースカバー４４が形成される。前記ベースカバー４４は、前記ベース部４３２を包むように形成され、プラスチックまたはゴム素材で形成される。これによって、前記ベースカバー４４がカーペット２やマットではない硬い室内の底面と接触する時の滑りを防止することができる。前記ベースカバー４４は、前記レッグ４０の成形時に前記ベース部４３２とインサート射出によって形成され、必要に応じて別途に成形した後前記ベース部４３２と結合されてもよい。前記ベースカバー４４は、周面が多数の面を有する多角形形状に形成され、これによって、前記ベースカバー４４を回転操作することで、前記レッグ４０の高さを調節することもできる。
【００６１】
そして、前記レッグ４０の下端には、前記スパイク固定部材６０が結合される。前記スパイク固定部材６０は、前記レッグ４０の下端に圧入され、設置される室内の底面に応じて脱着できるように形成される。
【００６２】
図６は、前記スパイク固定部材の斜視図であり、図７は、図６の７-７’線断面図である。
【００６３】
図示されているように、前記スパイク固定部材６０は、全体的に前記レッグ４０の下端と結合される結合部６１と前記スパイク６４から構成される。
【００６４】
具体的に、前記結合部６１は、前記スパイク固定部材６０の上部を形成し、前記レッグ４０の下面と接することができる支持面６２を形成する。前記支持面６２は、前記レッグ４０の下面と対応またはやや大きい寸法と形状を有し、前記レッグ４０を支持し、前記レッグ４０の下部の一部を収容するように形成される。
【００６５】
一方、前記支持面６２の縁部には上方に突出するリーブが形成される。前記リーブ６３は、前記レッグ４０と前記スパイク固定部材６０の結合はもちろん、前記ウォータートレイ７０と結合可能な構造で形成される。
【００６６】
前記リーブ６３は、前端（図６で右側）に備えられる第１リーブ６３１と、前記第１リーブ６３１と対向する後端（図６で左側）に備えられる第２リーブ６３２、そして前記第１リーブ６３１と第２リーブ６３２との間の両側に備えられる一対の第３リーブ６３３から構成される。
【００６７】
前記第１リーブ６３１は、前記支持面６２の前端に沿ってラウンド状に形成される。前記第１リーブ６３１の形状は、前記ウォータートレイ７０のレッグ収容部７５の内側形状と対応するように形成され、前記ウォータートレイ７０の結合時に、前記第１リーブ６３１が前記レッグ収容部７５の内側で密着するように形成される。このとき、前記第１リーブ６３１の延長高さは、前記ウォータートレイ７０の装着時に、前記レッグ収容部７５に形成される安着部７５２と接することができる高さまで形成される。
【００６８】
前記第２リーブは、前記支持面の後端に沿って形成され、前記レッグの外側端、すなわち前記ベースカバーの形状と対応する形状で形成され、前記ベースカバーの側面と密着できるように形成される。
【００６９】
すなわち、前記多数の面を有するように形成され、前記ベースカバー４４の外側面と密着するようにする。よって、前記ベースカバー４４は、前記支持面６２に安着した時、前記第２リーブ６３２によって密着固定された状態となることができ、流動によって前記レッグ４０から前記スパイク固定部材６０が分離することを防止することができる。
【００７０】
前記第１リーブ６３１と第２リーブ６３２は、前記支持面６２の前半部と後半部に形成され、両端が相互に離れた位置に位置することになる。そして、前記第１リーブ６３１と第２リーブ６３２との間の前記支持面の両側に、前記第３リーブ６３３が配置されることになる。
【００７１】
前記第３リーブ６３３は、前記支持面６２の左右両側端に形成され、前記第１リーブ６３１と第２リーブ６３２との間に位置すると共に、前記第１リーブ６３１及び第２リーブ６３２とは離隔する長さで延長形成される。そして、前記第３リーブ６３３も、多数の面から構成され、前記ベースカバー４４の側面と密着できるように形成される。
【００７２】
そして、前記第３リーブ６３３の高さは、第１リーブ６３１及び第２リーブ６３２より低く形成される。前記第３リーブ６３３の上端は、前記ウォータートレイ７０の装着時に、前記レッグ収容部７５に形成された弾性固定部７５３と干渉しないように前記弾性固定部７５３より低く形成される。
【００７３】
前記第１リーブ６３１と第２リーブ６３２及び第３リーブ６３３は、前記レッグ４０との結合時に前記ベースカバー４４と接することになり、少なくとも第２リーブ６３２と第３リーブ６３３は、前記ベースカバー４４の周面と完全に密着して前記スパイク固定部材６０が前記レッグ４０と結合されるようにする。
【００７４】
このとき、前記第１リーブ６３１と第２リーブ６３２及び第３リーブ６３３は、相互に離隔するように形成され、前記スパイク固定部材６０の挿入時に外側に弾性変形されて前記レッグ４０が圧入されて固定される。このとき、前記ベースカバー４４の底面は、前記支持面６２に接することになり、前記ベースカバー４４の周面は、前記第１リーブ６３１と第２リーブ６３２及び第３リーブ６３３にそれぞれ接して拘束される。
【００７５】
一方、前記支持面６２の下面には、下方に延長される多数のスパイク６４が備えられる。前記スパイク６４は、前記カーペットを貫通またはカーペットに入り込むように延長形成され、延長されるほど直径が小さくなる円錐状に形成される。
【００７６】
前記スパイク６４は、射出成形を容易とするために、支持面６２の一側を下方に凹ませることによって形成することができる。すなわち、前記スパイク６４は、下方に延長されると共に、前記支持面６２には対応する位置から前記スパイク６４に向かって凹む溝が形成される。
【００７７】
前記スパイク６４は、図６のように４つから構成され、前記支持面６２の下面に均一に分布される。そして、必要に応じて、前記スパイク６４の個数は、多数の任意の個数に形成することができる。
【００７８】
図８は、前記ウォータートレイの斜視図であり、図９は、前記ウォータートレイがレッグに装着された様子を示した部分斜視図である。
【００７９】
図示されているように、前記ウォータートレイ７０は、底面７１の周りに沿って形成される枠７２によって、内部に水を溜める空間が形成される。そして、前記ウォータートレイ７０の前面７３は、前記キャビネット１０と室内底面との空間を介して露出される。前記ウォータートレイ７０の前面７３は、前記ドア３０が閉じられた状態では、前記ドア３０によって遮られるように形成することもできる。
【００８０】
そして、前記ウォータートレイ７０の底面７１の前半部には取っ手(図５で７４)が形成される。前記取っ手７４は、下面が上方に凹んで形成され、前記前面７３と底面７１により形成される空間によって形成される。よって、使用者が前記取っ手７４に手を入れて前方に引くと、前方に引き出される。
【００８１】
一方、前記ウォータートレイ７０の後端両側には、レッグ収容部７５が凹んで形成される。前記レッグ収容部７５は、前記レッグ４０または前記スパイク固定部材６０が装着された状態のレッグ４０のいずれにも結合できるように対応する形状に形成される。
【００８２】
具体的に、前記レッグ収容部７５は、レッグ４０のベースカバー４４を挿入できる大きさで後方に凹む。そして、前記レッグ収容部７５は、前方に開口され、前記ウォータートレイ７０を前記キャビネット１０の前方から前記キャビネット１０と室内空間の底面の間に挿入すると、自然に前記レッグ収容部７５の開口７５１を介して前記レッグ４０が前記レッグ収容部７５の内側に挿入されることになる。
【００８３】
そして、前記レッグ収容部７５の上端には、前記レッグ収容部７５の内側に突出した安着部７５２が形成される。前記安着部７５２は、上方に突出した後前記レッグ収容部７５の内側に突出して、前記ウォータートレイ７０の装着時に前記レッグ４０のナットヘッド４３またはベースカバー４４に安着することになる。よって、前記ウォータートレイ７０は、前記レッグ４０に吊られた状態で装着されることになる。
【００８４】
一方、前記安着部７５２は、前記レッグ収容部７５の内側に突出すると共に、前記レッグ４０の引出／入時に前記調節ネジ４１と干渉しないように突出し、前記レッグ収容部７５の上端に沿って少なくとも一部区間のみに形成される。
【００８５】
前記弾性固定部７５３は、前記レッグ収容部７５の一端から外側に延長形成される。そして、前記弾性固定部７５３は、前記ウォータートレイ７０の枠７２の一側と離れた状態で延長され、前記枠７２と所定の空間７５６を維持したまま延長される。そして、前記弾性固定部７５３は板状に形成され、前記レッグ４０の出入り時に弾性変形できる構造を有することができる。
【００８６】
よって、前記レッグ４０が前記レッグ収容部７５に挿入される時に前記弾性固定部７５３は弾性変形し、前記レッグ４０が前記レッグ収容部７５の開口７５１に挿入されるようにする。そして、前記レッグ４０が前記レッグ収容部７５に完全に収容された状態では、弾性力によって前記レッグ４０を押して固定させることができる。このような構造によって、前記レッグ４０にウォータートレイ７０が装着された状態と装着されていない状態のいずれの状態においても、前記ウォータートレイ７０が前記レッグ４０に固定装着される。
【００８７】
そして、前記ウォータートレイ７０を分離するために引き出すと、前記弾性固定部７５３は再び変形し、前記レッグ４０が前記レッグ収容部７５の開口７５１を介して抜け出すことができるようにする。
【００８８】
具体的に、前記弾性固定部７５３は、前記レッグ４０を固定するための固定部７５４と、前記レッグ４０と接触して前記ウォータートレイ７０の挿入を案内する案内部７５５を含んで構成される。
【００８９】
前記固定部７５４の端部は、前記レッグ収容部７５の一端に位置され、外側に延長される。このとき、前記固定部７５４は、前記レッグ収容部７５の一部を形成することができる。すなわち、前記固定部７５４は、前記レッグ４０が前記レッグ収容部７５に収容されたとき、前記レッグ４０の外側面を押して固定できるように形成される。
【００９０】
そして、前記固定部７５４は、スパイク固定部材６０の第３リーブ６３３の上側を介して、前記レッグ４０の側面を押して固定させることができるようになる。前記固定部７５４は、前記レッグ収容部７５の開口７５１が狭くなる方向に延長される。このとき、前記開口７５１の幅は、前記レッグ４０の下端の幅よりも小さく形成される。これによって、前記レッグ４０が前記レッグ収容部７５の内側に挿入されるために前記開口７５１を通過する過程で、前記固定部７５４が外側に弾性変形できるように形成される。
【００９１】
前記案内部７５５は、前記固定部７５４の端部からさらに延長されることで、前記固定部７５４の延長方向と交差する方向に延長される。すなわち、前記案内部７５５は、前記固定部７５４の延長方向と反対方向に延長される。よって、前記レッグ４０が前記レッグ収容部７５に挿入される過程で、前記案内部７５５は前記レッグ４０と接触して前記レッグ４０が自然に前記開口７５１側に向かって前記レッグ収容部７５の内側に挿入されるようにする。この過程で、前記弾性固定部７５３は外側に弾性変形し、このときの弾性復元力によって前記レッグ４０を押して固定することができる。
【００９２】
そして、前記案内部７５５の外側面には、前記案内部７５５の弾性変形時に前記枠７２と接触できるように突出する突出ストッパー７５７が形成される。前記突出ストッパー７５７は、前記ウォータートレイ７０の装着時に前記レッグ４０との接触によって前記案内部７５５が過度に変形して破損することを防止するためのものとして、前記弾性固定部７５３が適正な変位に変形して破損しないようにする。
【００９３】
以下、上記のような構成を有する衣類処理装置の設置状態を、図面を参照してより詳しく説明する。
【００９４】
図１０は、前記衣類処理装置の下端の前半部角の部分斜視図であり、図１１は、前記衣類処理装置の下端の後半部角の部分斜視図である。
【００９５】
前記衣類処理装置１が設置される室内の底面が硬いタイルまたは床のような状況においては、前記スパイク固定部材６０を前記レッグ４０から分離した状態で設置することになり、このとき室内の底面は前記レッグ４０によって支持されることになる。そして、使用者は前記レッグ４０の高さを調節して、前記衣類処理装置１が水平状態となるようにし、動作時の振動にも揺れないようにする。
【００９６】
一方、室内の底面がカーペット２のようにふわふわとしている場合、使用者は前記衣類処理装置１の安定した設置のために、図１０と図１１のように、前記レッグ４０に前記スパイク固定部材６０を装着した状態で前記衣類処理装置１を設置することになる。
【００９７】
前記スパイク固定部材６０は、前記レッグ４０の底面に位置することになるので、前記スパイク固定部材６０の底から延長される多数の前記スパイク６４が前記カーペット２を貫通することになる。
【００９８】
このとき、前記スパイク固定部材６０は、前記ベースプレート１２の４つの角に備えられるので、前記衣類処理装置１全体が前記カーペット２の上で安定した固定設置状態を維持できることになる。
【００９９】
そして、多数の前記スパイク固定部材６０のうち後半部に位置した前記スパイク固定部材６０は、前記ローラ５０よりも下方に延長される構造を有するので、前記衣類処理装置１が安定した固定装着状態を維持するようにする。
【０１００】
一方、前記衣類処理装置１が設置された状態では、前記ウォータートレイ７０が前記レッグ４０に固定装着される。このとき、前記ウォータートレイ７０は、前記ベースプレート１２とカーペット２との間の空間に位置することになり、前記機械室２０で発生する凝縮水を溜めることになる。そして、使用者は、必要に応じて、前記ウォータートレイ７０を外して溜まった水を空けることができる。
【０１０１】
図１２は、前記ウォータートレイの脱着過程を示した図であり、図１３は、前記スパイク固定部材と前記ウォータートレイが装着された様子を示した部分斜視図である。
【０１０２】
図示されているように、前記衣類処理装置１が設置された状態で、前記ウォータートレイ７０は、前記キャビネット１０の下面、すなわち前記ベースプレート１２と室内の底面との間の空間に挿入されて装着される。前記ウォータートレイ７０は、前記ドア３０が閉じられた状態では遮蔽され、前記ウォータートレイ７０を脱着するためには、前記ドア３０を開放した状態で実施することになる。
【０１０３】
そして、前記ウォータートレイ７０を装着するためには、前記レッグ収容部７５が形成された後面を前記レッグ４０側に押込むことになる。前記ウォータートレイ７０を前記キャビネット１０の下方に位置を整列して押込むと、前記レッグ４０が前記レッグ収容部７５に挿入される。
【０１０４】
図１２に示されているように、両側の前記レッグ４０のうち一側のレッグ４０が先に前記レッグ収容部に挿入されるようにした後、挿入装着されたレッグ４０を軸に前記ウォータートレイ７０を回転させて他の一側のレッグ４０が前記レッグ収容部７５の内側に挿入されるようにすることができる。
【０１０５】
一方、前記レッグ４０は、前記レッグ収容部７５に挿入されるとき、前記案内部７５５を介して前記レッグ収容部７５の開口に移動することになる。このとき、前記弾性固定部７５３が弾性変形しながら前記レッグ４０が前記レッグ収容部７５の内側に挿入されるようにする。
【０１０６】
そして、前記レッグ４０が前記レッグ収容部７５の内側に挿入された状態では、前記弾性固定部７５３が前記レッグ４０の一側を押して固定することができるようになり、前記ウォータートレイ７０が前記レッグ４０に装着された状態を維持できることになる。
【０１０７】
また、前記レッグ収容部７５に前記レッグ４０が完全に収容された状態では、前記レッグ収容部７５に形成された安着部７５２が前記レッグ４０のベースカバー４４の上方に位置することになり、前記安着部７５２は、前記ベースカバー４４または前記ネジヘッド４３の上面に安着して支持されることになる。よって、前記ウォータートレイ７０は、前記レッグ４０に装着された状態を維持できることになる。
【０１０８】
そして、前記ウォータートレイ７０に溜まった水を空けるためには、前記ウォータートレイ７０を前記レッグ４０から分離し、分離と装着は上述したような過程を通じて実施することができる。
【符号の説明】
【０１０９】
１    衣類処理装置
２    カーペット
１０    キャビネット
１１    衣類収納空間
１２    ベースプレート
２０    機械室
２１    機械室ドア
２２    空気吸入部
２３    空気排出部
３０    ドア
３１    ディスプレイ
３２    フレッシャー
４０    レッグ
４１    調節ネジ
４２    固定ナット
４３    ネジヘッド
４３１    ナット部
４３２    ベース部
４４    ベースカバー
５０    ローラ
６０    スパイク固定部材
６１    結合部
６２    支持面
６３    リーブ
６３１    第１リーブ
６３２    第２リーブ
６３３    第３リーブ
６４    スパイク
７０    ウォータートレイ
７１    底面
７２    枠
７３    前面
７４    取っ手
７５    レッグ収容部
７５１    開口
７５２    安着部
７５３    弾性固定部
７５４    固定部
７５５    案内部
７５６    空間
７５７    突出ストッパー
【図１】
0006333920.tif 000002
【図２】
0006333920.tif 000003
【図３】
0006333920.tif 000004
【図４】
0006333920.tif 000005
【図５】
0006333920.tif 000006
【図６】
0006333920.tif 000007
【図７】
0006333920.tif 000008
【図８】
0006333920.tif 000009
【図９】
0006333920.tif 000010
【図１０】
0006333920.tif 000011
【図１１】
0006333920.tif 000012
【図１２】
0006333920.tif 000013
【図１３】
0006333920.tif 000014